(57)【特許請求の範囲】
【請求項１】
集積回路を含む回路ブロックと、コイルブロック，磁心，ステータ，ロータを含む転換機とが、地板と回路押さえ板との間で保持される電子時計であって、
前記転換機は、前記磁心と前記ステータの接触が確保されるように、その一方側において、螺合されるネジの締付力により、前記地板に固定保持されると共に、その他方側において、前記回路押さえ板に形成される押圧ばねの弾性力により、前記地板に押圧保持されることを特徴とする、電子時計。
【請求項２】
前記ネジは、前記磁心及び前記ステータと前記回路ブロックの接触が確保されるように螺合され、
前記押圧ばねは、前記地板と前記回路押さえ板とを係合するフック部の近傍において形成されることを特徴とする、請求項１に記載の電子時計。
【請求項３】
前記ネジは、前記回路ブロックと前記コイルブロックの導通が確保されるように螺合され、
前記押圧ばねは、前記地板と前記回路押さえ板とを係合するフック部の近傍において形成されることを特徴とする、請求項１に記載の電子時計。
【請求項４】
集積回路を含む回路ブロックと、コイルブロック，磁心，ステータ，ロータを含む転換機とが、地板と回路押さえ板との間で保持される電子時計であって、
前記回路ブロックや前記転換機が、前記回路押さえ板に形成される保持ばねの弾性力により、前記地板に押圧保持される場合に、
前記回路押さえ板は、前記保持ばねよりも下方に突出するように該回路押さえ板に形成される仮案内部が、前記地板に形成される案内穴に嵌合することにより、該地板に位置決めされることを特徴とする、電子時計。
【請求項５】
前記仮案内部は、前記地板と前記回路押さえ板とを係合するフック部の近傍において形成されることを特徴とする、請求項４に記載の電子時計。
【請求項６】
集積回路を含む回路ブロックと、コイルブロック，磁心，ステータ，ロータを含む転換機とが、地板と回路押さえ板との間で保持される電子時計であって、
前記回路押さえ板は、１箇所において、螺合されるネジの締付力により、前記地板に固定保持されると共に、３箇所において、該回路押さえ板に形成されるフック部が、前記地板に形成される係合部に係合することにより、該地板に係合保持されることを特徴とする、電子時計。
【請求項７】
前記地板及び前記回路押さえ板が、一組の直交する座標軸により、四つの領域に分割されると仮定した場合に、
前記ネジは、ある一つの領域内において螺合され、
前記フック部は、他の三つの領域内のそれぞれにおいて形成されることを特徴とする、請求項６に記載の電子時計。
【発明の詳細な説明】
【０００１】
【発明の属する技術分野】
本発明は、回路ブロックと転換機とが地板と回路押さえ板との間で保持されてなるアナログクオーツ式の電子時計に関し、特にその電子時計を構成する各部品の保持構造に関する。
【０００２】
【従来の技術】
前記の電子時計は、▲１▼ベースとなる地板に、▲２▼振動を発する水晶振動子，その振動を受けてパルス信号を発する集積回路（ＩＣ）を備える回路ブロック，そのパルス信号を受けて回転力を発する転換機，その回転力を受けて時計の針を回転させる輪列などの各部品を組み付けて固定し、▲３▼それらの各部品に覆い被さるように、回路押さえ板を位置決めして装着・固定し、▲４▼電池を装着する、という手順を経て組み立てられるのが一般的である。
【０００３】
【発明が解決しようとする課題】
ここで、前記の電子時計を組み立てる際には、以下のような不都合があった。
【０００４】
（１）転換機を地板に保持する際には、転換機を構成する磁心とステータの十分な接触を確保する必要から、▲１▼ネジにより転換機の両端を固定、▲２▼熱カシメにより転換機の両端を固定、▲３▼回路押さえ板に形成したばねにより転換機の両端を押圧、などの方法で保持する構造が採られていた。
しかし、▲１▼の構造には、固定力が安定している反面、部品点数が増加し工程数も増加するために高コストになるという不都合があった。
また、▲２▼の構造には、カシメ力が安定せず、また磁心やステータの反りを吸収できないためにカシメ部に隙間があきやすく、さらに分解できないためにアフターサービスが困難であるという不都合があった。
さらに、▲３▼の構造には、部品点数は少ない反面、左右のばねのバランスが取りにくいために押圧力が安定しないという不都合があった。
【０００５】
（２）回路押さえ板を地板に装着する際には、回路押さえ板が各部品に覆い被さるように位置決めする必要がある。
しかし、回路押さえ板には導通用のばねや各部品の浮きを防止するばねが形成されているので、回路押さえ板を各部品に覆い被せた状態では、回路押さえ板がばねのたわみ分だけ各部品から浮いてしまうために、容易に位置決めを行うことができず組立が困難であるという不都合があった。
【０００６】
（３）回路押さえ板を地板に保持する際には、両者の安定した固定を確保する必要から、▲１▼ネジにより固定、▲２▼カシメにより固定、▲３▼回路押さえ板に形成したフックにより固定、などの方法で保持する構造が採られていた。
しかし、▲１▼の構造には、部品点数が増加し工程数も増加するために高コストになるという不都合があった。
また、▲２▼の構造には、分解できないためにアフターサービスが困難であるという不都合があった。
さらに、▲３▼の構造には、特に転換機まわりにおいて、安定した固定を確保するのが困難であるという不都合があった。
【０００７】
そこで、本発明は、（１）転換機を地板に保持する際に、磁心とステータの十分な接触を確保しつつ低コストで固定でき、しかもその後に容易に分解でき、（２）回路押さえ板を地板に装着する際に、容易に位置決め及び組立を行うことができ、（３）回路押さえ板を地板に保持する際に、両者の安定した固定を確保しつつ低コストで固定でき、しかもその後に容易に分解できるような、電子時計を提供することを課題とする。
【０００８】
【課題を解決するための手段】
本発明は、前記の課題を達成すべく提供されるものであり、第１実施形態に関する請求項１乃至請求項３に係る発明と、第２実施形態に関する請求項４及び請求項５に係る発明と、第３実施形態に関する請求項６及び請求項７に係る発明とを含むものである。
これらの発明（例えば図１参照）は、共通構成である『集積回路１１を含む回路ブロック１０と、コイルブロック２１，磁心２２，ステータ２３，ロータ２４を含む転換機２０とが、地板３０と回路押さえ板４０との間で保持される電子時計１』に加えて、それぞれ以下の特徴構成を有するものである。
【０００９】
まず、請求項１に係る発明（例えば図１及び図２（ａ）（ａ′）（ｂ）参照）は、前記の共通構成に加えて、『転換機２０は、磁心２２とステータ２３の接触が確保されるように、その一方側において、螺合されるネジ５０の締付力により、地板３０に固定保持されると共に、その他方側において、回路押さえ板４０に形成される押圧ばね４１の弾性力により、地板３０に押圧保持される』という特徴構成を有するものである。
即ち、転換機を地板に保持する際に、一方側がネジの締付力により固定保持され、他方側が押圧ばねの弾性力により押圧保持されるので、磁心とステータの十分な接触が確保され、かつ部品点数や工程数の増加を最小限に抑えて低コストで固定でき、しかもその後に、ネジを外すことにより容易に分解できる。
【００１０】
ここで、請求項２に係る発明（例えば図２（ａ）及び図１参照）のように、『ネジ５０は、磁心２２及びステータ２３と回路ブロック１０の接触が確保されるように螺合され、／押圧ばね４１は、地板３０と回路押さえ板４０とを係合するフック部４４の近傍において形成される』としたり、請求項３に係る発明（例えば図２（ａ′）及び図１参照）のように、『前記ネジは、前記回路ブロックと前記コイルブロックの導通が確保されるように螺合され、／前記押圧ばねは、前記地板と前記回路押さえ板とを係合するフック部の近傍において形成される』とすれば、回路ブロック側においては、ネジの締付力により、十分な接触・導通を確保することができ、かつその反対側においても、押圧ばねの弾性力に加えてフック部の係合により、さらに安定した固定力を得ることができる。
【００１１】
また、請求項４に係る発明（例えば図１及び図３（ｃ）参照）は、前記の共通構成に加えて、『回路ブロック１０や転換機２０が、回路押さえ板４０に形成される保持ばね４２の弾性力により、地板３０に押圧保持される場合に、／回路押さえ板４０は、保持ばね４２（高さＬ２）よりも下方に突出するように回路押さえ板４０に形成される仮案内部４３（長さＬ１）が、地板３０に形成される案内穴３３に嵌合することにより、地板３０に位置決めされる』という特徴構成を有するものである。
即ち、回路押さえ板を地板に装着する際に、仮案内部が案内穴に嵌合するので、容易に位置決め及び組立を行うことができる。
【００１２】
ここで、請求項５に係る発明（例えば図１参照）のように、『仮案内部４３は、地板３０と回路押さえ板４０とを係合するフック部４４の近傍において形成される』とすれば、仮案内部とフック部とが接近していることにより、さらに容易に組立を行うことができる。
【００１３】
さらに、請求項６に係る発明（例えば図１，図２（ａ）（ａ′）及び図３（ｄ）（ｅ）参照）は、前記の共通構成に加えて、『回路押さえ板４０は、１箇所において、螺合されるネジ５０の締付力により、地板３０に固定保持されると共に、３箇所において、回路押さえ板４０に形成されるフック部４４が、地板３０に形成される係合部３４に係合することにより、地板３０に係合保持される』という特徴構成を有するものである。
即ち、回路押さえ板を地板に保持する際に、１箇所がネジの締付力により固定保持され、３箇所がフック部と係合部との係合により係合保持されるので、両者の安定した固定が確保され、かつ部品点数や工程数の増加を最小限に抑えて低コストで固定でき、しかもその後に、ネジを外すことにより容易に分解できる。
【００１４】
ここで、請求項７に係る発明（例えば図１参照）のように、『地板３０及び回路押さえ板４０が、一組の直交する座標軸Ｘ，Ｙにより、四つの領域Ｉ，ＩＩ，ＩＩＩ，ＩＶに分割されると仮定した場合に、／ネジ５０は、ある一つの領域ＩＩＩ内において螺合され、／フック部４４−１，４４−２，４４−４は、他の三つの領域Ｉ，ＩＩ，ＩＶ内のそれぞれにおいて形成される』とすれば、ネジとフック部とが四つの領域にバランス良く配置されることにより、さらに安定した固定力を得ることができる。
【００１５】
【発明の実施の形態】
以下、本発明に係る電子時計における好適な実施の形態に関し、図面を参照しつつ詳細に説明する。
【００１６】
１．共通構成（図１参照）
本発明に係る電子時計１は、全体的な構造を表す平面図である図１に示すように、回路ブロック１０と転換機２０とが地板３０と回路押さえ板４０との間で保持される、という共通構成を有する。
【００１７】
ここで、回路ブロック１０は、水晶振動子が発する振動を受けてパルス信号を発する集積回路（ＩＣ）１１を含むものである。
また、転換機２０は、そのパルス信号を受けて回転力を発するものであり、磁力を発するコイルブロック２１と、コイルブロック２１の内部に挿通される磁心２２と、磁心２２の両端に当接されるステータ２３と、ステータ２３の略中央部に回転自在に保持され、磁力を受けて回転するロータ２４とを含む。
また、地板３０は、各部品が組み付けられるベースとなる薄板である。
さらに、図１において太線で示す回路押さえ板４０は、各部品に覆い被さって各部品を押さえつけると共に、電池のプラス極に接するものである。
【００１８】
その他、電子時計１は、一般の電子時計と同様に、振動を発する水晶振動子を部位１ａに、転換機２０の発する回転力を受けて時計の針を回転させる輪列（図示外）を部位１ｂに、集積回路１１に電力を供給する電池（図示外）を部位１ｃに、時計の針を合わせるときに用いる巻真（図示外）を部位１ｄに、それぞれ備える。
【００１９】
２．第１実施形態（図１及び図２（ａ）（ａ′）（ｂ）参照）
本発明の第１実施形態に係る電子時計１は、図１に示すように、転換機２０を地板３０に保持する際の構造が、特徴構成となっている。
【００２０】
即ち、転換機２０は、その一方側（図１では左側）において、螺合されるネジ５０の締付力により、地板３０に固定保持される構成となっている。
具体的には、図１のＡ−Ａ線断面図である図２（ａ）に示すように、磁心２２に形成される孔２２ａと、ステータ２３に形成される孔２３ａと、地板３０に形成される孔３０ａとが、上側から順に一致された状態で、それらの孔の下側から受けナット５１が，上側からネジ５０がそれぞれ挿通され、受けナット５１にネジ５０が螺合されて、転換機２０の一方側が地板３０に固定保持される。なお、孔３０ａにネジが切られ、孔３０ａにネジ５０が螺合しうる場合には、受けナット５１は不要である。
【００２１】
また、転換機２０は、その他方側（図１では右側）において、回路押さえ板４０に形成される押圧ばね４１の弾性力により、地板３０に押圧保持される構成となっている。
具体的には、図１のＢ−Ｂ線断面図である図２（ｂ）に示すように、磁心２２に形成される孔２２ｂと、ステータ２３に形成される孔２３ｂとが、上側から順に一致された状態で、それらの孔の下側から地板３０に形成される突起３０ｂが挿通され、磁心２２の上側に押圧ばね４１が当接されて、転換機２０の他方側が地板３０に押圧保持される。ここで、押圧ばね４１は、回路押さえ板４０を凹字状に打ち抜いて形成される突片が斜め下向きに折り曲げられてなり、下向きの付勢力を有するものである。
【００２２】
従って、第１実施形態によれば、転換機２０を地板３０に保持する際に、一方側がネジ５０の締付力により固定保持され、他方側が押圧ばね４１の弾性力により押圧保持されるので、磁心２２とステータ２３の十分な接触が確保され、かつ部品点数や工程数の増加を最小限に抑えて低コストで固定でき、しかもその後に、ネジ５０を外すことにより容易に分解できる。
【００２３】
ここで、回路ブロック１０とコイルブロック２１とが一体に形成される場合には、図２（ａ）に示すように、ネジ５０は、回路ブロック１０に形成される孔１０ａにも挿通され、回路ブロック１０が磁心２２の上側に当接された状態で螺合されているので、ネジ５０の締付力により、磁心２２及びステータ２３と回路ブロック１０の十分な接触も確保されている。
一方、回路ブロック１０とコイルブロック２１とが別体に形成される場合には、図２（ａ）の変形例を表す断面図である図２（ａ′）に示すように、ネジ５０は、回路ブロック１０と磁心２２との間に介在し、コイルブロック２１と導通しているコイルリードブロック２１ａにも挿通され、螺合されているので、ネジ５０の締付力により、回路ブロック１０とコイルブロック２１の電気的な導通も確実に確保されている。
また、図１に示すように、押圧ばね４１は、地板３０と回路押さえ板４０とを係合するフック部４４の近傍において形成されているので、押圧ばね４１の弾性力に加えてフック部４４の係合により、さらに安定した固定力が得られている。なお、フック部４４の詳細については、後述する第３実施形態で説明する。また、ここでの「近傍」とは、押圧ばね４１とフック部４４の作用が相俟って安定した固定力が得られるような平面的な距離、を意味する。
【００２４】
３．第２実施形態（図１及び図３（ｃ）参照）
本発明の第２実施形態に係る電子時計１は、図１に示すように、回路押さえ板４０を地板３０に装着する際の構造が、特徴構成となっている。
【００２５】
まず前提として、回路ブロック１０や転換機２０が、回路押さえ板４０に形成される保持ばね４２の弾性力により、地板３０に押圧保持されている。ここで、保持ばね４２は、前記の押圧ばね４１と同様に、回路押さえ板４０を凹字状に打ち抜いて形成される突片が斜め下向きに折り曲げられてなり、下向きの付勢力を有するものであり、図１では４箇所に形成されて、回路ブロック１０や転換機２０や輪列（図示外）を押圧保持するようになっている。
回路押さえ板４０には、この保持ばね４２や前記の押圧ばね４１が形成されているので、回路押さえ板４０を各部品に覆い被せた状態では、回路押さえ板４０がばねのたわみ分だけ浮いてしまうために、容易に位置決めを行うことができない。
【００２６】
そこで、図１のＣ−Ｃ線断面図である図３（ｃ）に示すように、回路押さえ板４０は、回路押さえ板４０に形成される仮案内部４３が、地板３０に形成される案内穴３３に嵌合することにより、地板３０に位置決めされる構成となっている。ここで、仮案内部４３は、回路押さえ板４０の周縁部に形成される突片が鉛直下向きに折り曲げられてなり、非装着時の保持ばね４２の高さＬ２よりも長く、かつ案内穴３３の高さＬ３よりも短い、長さＬ１を有するものであり、図１では２箇所に形成されて、保持ばね４２よりも下方に突出し、袋穴である案内穴３３に嵌合するようになっている。
【００２７】
従って、第２実施形態によれば、回路押さえ板４０を地板３０に装着する際に、仮案内部４３が案内孔３３に嵌合するので、容易に位置決め及び組立を行うことができる。
【００２８】
ここで、図１に示すように、仮案内部４３は、地板３０と回路押さえ板４０とを係合するフック部４４の近傍において形成されているので、さらに容易に組立を行うことができる。なお、フック部４４の詳細については、後述する第３実施形態で説明する。また、ここでの「近傍」とは、仮案内部４３とフック部４４とが接近していることにより容易に組み立てを行うことができるような平面的な距離、を意味する。
【００２９】
４．第３実施形態（図１，図２（ａ）（ａ′）及び図３（ｄ）（ｅ）参照）
本発明の第３実施形態に係る電子時計１は、図１に示すように、回路押さえ板４０を地板３０に保持する際の構造が、特徴構成となっている。
【００３０】
即ち、回路押さえ板４０は、１箇所（図１では左下側）において、螺合されるネジ５０の締付力により、地板３０に固定保持される構成となっている。
具体的には、図２（ａ）（ａ′）に示すように、回路押さえ板４０に形成される孔４０ａと、第１実施形態の説明で既述した孔１０ａ，２２ａ，２３ａ，３０ａとが、上側から順に一致された状態で、それらの孔の下側から受けナット５１が，上側からネジ５０がそれぞれ挿通され、受けナット５１にネジ５０が螺合されて、回路押さえ板４０の１箇所が地板３０に固定保持される。即ち、第３実施形態のネジ５０と、第１実施形態のネジ５０とは、共通になっている。なお、回路押さえ板４０と回路ブロック１０との間には、上側から順に絶縁板５２と輪列受５３が介挿されている。
【００３１】
また、回路押さえ板４０は、３箇所（図１では右上側，左上側，右下側）において、回路押さえ板４０に形成されるフック部４４が、地板３０に形成される係合部３４に係合することにより、地板３０に係合保持される構成となっている。具体的には、図１のＤ方向矢視図である図３（ｄ）及び図１のＥ−Ｅ線断面図である図３（ｅ）に示すように、錨（いかり）型のフック部４４が上側から下側に向けて移動され、突起状の係合部３４に引っかけられて、回路押さえ板４０が地板３０に係合保持される。ここで、フック部４４は、回路押さえ板４０の周縁部に形成される錨型の突片が鉛直下向きに折り曲げられてなるものであり、係合部３４は、地板３０の周縁部に形成される断面視で略三角形状の一組の突起であり、図１ではそれぞれ３箇所に形成されて、互いに係合するようになっている。
【００３２】
従って、第３実施形態によれば、回路押さえ板４０を地板３０に保持する際に、１箇所がネジ５０の締付力により固定保持され、３箇所がフック部４４と係合部３４との係合により係合保持されるので、両者の安定した固定が確保され、かつ部品点数や工程数の増加を最小限に抑えて低コストで固定でき、しかもその後に、ネジ５０を外すことにより容易に分解できる。
【００３３】
ここで、図１に示すように、地板３０及び回路押さえ板４０が、一組の直交する座標軸Ｘ，Ｙにより、四つの領域Ｉ，ＩＩ，ＩＩＩ，ＩＶに分割されると仮定した場合に、一つのネジ５０は、左下側の領域ＩＩＩ内において螺合され、三つのフック部４４−１，４４−２，４４−４は、右上側の領域Ｉ内，左上側の領域ＩＩ内，右下側の領域ＩＶ内のそれぞれにおいて形成されるので、ネジ５０とフック部４４とが四つの領域にバランス良く配置されることにより、さらに安定した固定力を得ることができる。
【００３４】
５．その他
以上に説明した各実施形態は、相互に組み合わせることが可能である。即ち、第１実施形態と第２実施形態を組み合わせること、第１実施形態と第３実施形態を組み合わせること、第２実施形態と第３実施形態を組み合わせること、第１実施形態乃至第３実施形態を組み合わせること、のいずれもが可能である。
【００３５】
【発明の効果】
以上のように構成される本発明に係る電子時計によれば、（１）転換機を地板に保持する際に、磁心とステータの十分な接触を確保しつつ低コストで固定でき、しかもその後に容易に分解でき、（２）回路押さえ板を地板に装着する際に、容易に位置決め及び組立を行うことができ、（３）回路押さえ板を地板に保持する際に、両者の安定した固定を確保しつつ低コストで固定でき、しかもその後に容易に分解できる、という顕著な効果を奏する。
【図面の簡単な説明】
【図１】本発明に係る電子時計の全体的な構造を表す平面図である。
【図２】本発明に係る電子時計の実施形態を表す図であり、
（ａ）は第１実施形態（第３実施形態）を表す図１のＡ−Ａ線断面図、
（ａ′）はその変形例を表す断面図、
（ｂ）は第１実施形態を表す図１のＢ−Ｂ線断面図である。
【図３】本発明に係る電子時計の実施形態を表す図であり、
（ｃ）は第２実施形態を表す図１のＣ−Ｃ線断面図、
（ｄ）は第３実施形態を表す図１のＤ方向矢視図、
（ｅ）は第３実施形態を表す図１のＥ−Ｅ線断面図である。
【符号の説明】
１      電子時計
１０      回路ブロック
１１      集積回路（ＩＣ）
２０      転換機
２１      コイルブロック
２２      磁心
２３      ステータ
２４      ロータ
３０      地板
３３      案内穴
３４      係合部
４０      回路押さえ板
４１      押圧ばね
４２      保持ばね
４３      仮案内部
４４      フック部
５０      ネジ
Ｘ      座標軸
Ｙ      座標軸
Ｉ      領域
ＩＩ            領域
ＩＩＩ            領域
ＩＶ            領域
【図１】
0003585783.tif 000002
【図２】
0003585783.tif 000003
【図３】
0003585783.tif 000004